(57)【要約】【課題】  この出願発明は、身体が小さい子供の場合には、走行中の振動やカーブでの遠心力などで身体のシートベルトの位置がずれ、左右に倒れたりするという問題を解決するためのジュニアシート用サポート背もたれを提供することを目的とする。【解決手段】  この出願発明は、車の座席に載せるジュニアシートまたはジュニアシート用サポート背もたれにおいて、ジュニアシートまたはジュニアシート用サポート背もたれの両側に座席の子供を囲むように突出部が設けられているジュニアシートまたはジュニアシート用サポート背もたれに関する。【選択図】図１
2005145088.tif 000002
【特許請求の範囲】
【請求項１】
車の座席に載せるジュニアシートまたはジュニアシート用サポート背もたれにおいて、ジュニアシートまたはジュニアシート用サポート背もたれの両側に座席の子供を囲むように突出部が設けられていることを特徴とするジュニアシートまたはジュニアシート用サポート背もたれ。
【請求項２】
突出部がジュニアシートの背中の部分の両側であることを特徴とする請求項１に記載のジュニアシートまたはジュニアシート用サポート背もたれ。
【請求項３】
ジュニアシートまたはジュニアシート用サポート背もたれの上部に椅子に固定するベルトが設けられていることを特徴とする請求項１または２に記載のジュニアシートまたはジュニアシート用サポート背もたれ。
【請求項４】
ジュニアシートまたはジュニアシート用サポート背もたれの下部に座席に固定する面ファスナーが設けられていることを特徴とする請求項１〜３のいずれかに記載のジュニアシートまたはジュニアシート用サポート背もたれ。
【請求項５】
中空であることを特徴とする請求項１〜４のいずれかに記載のジュニアシートまたはジュニアシート用サポート背もたれ。
【発明の詳細な説明】
【技術分野】
【０００１】
この出願発明は、車に装備されたシートベルトを利用して幼児を固定するジュニアシートまたはジュニアシート用サポート背もたれに関する。
【背景技術】
【０００２】
従来、乗用車に乗る人の安全性を向上させるためにシートベルトの着用が行われている。
シートベルトは、交通事故に対して、非常に高い防御効果があるが、そのためには、シーベルトの適切な使用が必要である。
ところで、通常装備されているシートベルトは大人に対するものであって、身体の小さい年少者にとっては満足なものではない。
そこで、新生児から幼児前期（０〜４歳程度）までの幼児に対してはチャイルドシートが、また、幼児後期から学童期（４〜１０歳程度）に対してはジュニアシートが使用されている。
ジュニアシートは、チャイルドシートに比較して、使用する子供の体格がやや大きいので、シートの下半身の両側に突出部を設ける場合もある。
そして、使用するときは、自動車の座席にジュニアシートを載せて、その上に子供が座って、座席の子供と一緒にジュニアシートを乗用車の椅子に固定している。
また、例えば、シートの両側にシートベルトガイドを有するガードを立設し、車のクッション上に載置して用いるためのジュニアシートにおいて、シート下方にシート高調節機構を設けたジュニアシートが知られている。
しかし、このジュニアシートは、上半身については身体の小さな子供のための調製がないため、そのままシートベルトで固定ししており、左右の動きに対して安定しないものであった。
【特許文献１】特開２００１−４７９０４（特許請求の範囲）
【発明の開示】
【発明が解決しようとする課題】
【０００３】
しかし、ジュニアシートは車両の座席に単に載せて使用するものであるが、背中と座席の部分に、身体の大きさの不足分を補うために背もたれ、シートが設けられているだけであるため、身体の周囲については身体の不足を補うものがなく、ジュニアシートを付けていても身体が座席にしっかりと固定されないという問題がある。このため、身体が小さい子供の場合には、走行中の振動やカーブでの遠心力などで身体のシートベルトの位置がずれ、左右に倒れたりするという問題がある。
この出願発明は、これらの問題点を解決することを目的とする。
【課題を解決するための手段】
【０００４】
この出願発明は、車の座席に載せるジュニアシートまたはジュニアシート用サポート背もたれにおいて、ジュニアシートまたはジュニアシート用サポート背もたれの両側に座席の子供を囲むように突出部が設けられているジュニアシートまたはジュニアシート用サポート背もたれに関するものであって、ジュニアシート用サポート背もたれであることがとくに好ましい。
【発明の効果】
【０００５】
この出願発明のジュニアシートを利用することにより、突出部により子供の身体を大人と同じ大きさにすることができるので、子供が左右に倒れないように補助することができ、また、ジュニアシート用サポート背もたれとして使用するときにも、子供が左右に倒れないように補助することができ、子供の安定性を確保することができる。
しかも、突出部によって身体の小さい子供を大人と同じ大きさにすることができるので、本来大人用に設定されているシートベルトをそのまま問題なく利用することができるという優れた効果がある。
また、座面にマットを着けることなどにより、高さを調節することができ、シートベルトが顔又は首にかからないようにすることができる。
この出願発明のジュニアシートまたはジュニアシート用サポート背もたれは、エアーマットで製作する場合には、取り付け、取り外し、移動が容易にでき、使用しないときは空気を抜くことにより小さくすることができ、しかも、簡単に操作をすることができる。
さらに、空気圧の調整によりジュニアシートを好きな固さに調節することができるので、身体の重量に応じて微調整をすることができる。
この出願発明はこのような問題を解決するものであり、走行時の子供の安定性をこれまで以上に確保することができる。
さらに、ジュニアシートまたはジュニアシート用サポート背もたれはシートベルト以外で固定されているので、乗り降りする度にジュニアシートの位置の調整の必要はない。また、衝撃時にジュニアシートまたはジュニアシート用サポート背もたれがずれたり、ジュニアシートまたはジュニアシート用サポート背もたれが座席からから押し出される危険がないので、さらに安全であるという優れた効果がある。
また、空気によって膨らます場合には、空気を抜くことにより小さくできるので、持ち運びが簡単であり、使用しないときもそのままの位置で大人が座ることができる。また、空気圧の調整により好きな固さにすることができ、子供の大きさに合わせて微調整をすることができる。
【発明を実施するための最良の形態】
【０００６】
以下、この出願発明の好適実施形態について説明する。
この出願発明は、ジュニアシートまたはジュニアシート用サポート背もたれの両側に設けられる突出部は、とくに限定されないが、背中の部分の両側に設けることがとくに好ましい。
また、突出部は、シートベルトで身体を固定したときに身体の両側を固定することができればよい。したがって、必ずしも前方に突出する必要はなく、横方向に突出していてもよく、シートベルトで子供を固定するときに子供の横に位置するものであればよい。
このようにすることにより、シートベルトにより子供の身体をしっかりずれないように座席に固定することができる。
【０００７】
この出願発明は、ジュニアシートまたはジュニアシート用サポート背もたれを椅子に従来の手段により固定すればよく、ベルト、接着テープなどが好ましいが、ジュニアシートまたはジュニアシート用サポート背もたれの上部に椅子に固定するベルトが設けられていることがとくに好ましい。
ベルトには、ヘッドレストに挟んで取り付けるための孔が設けられていることがとくに好ましい。
孔は複数個設けられていることが好ましく、このようにすることによりジュニアシートまたはジュニアシート用サポート背もたれの位置を調整することができる。
【０００８】
この出願発明のジュニアシートまたはジュニアシート用サポート背もたれの上部に椅子に固定するベルトは、とくに限定されないが、接着テープが簡単に着脱できるので好ましい。
【０００９】
この出願発明は、ジュニアシートまたはジュニアシート用サポート背もたれの下部に従来の手段により固定すればよく、面ファスナー、ベルトなどが好ましいが、面ファスナーであることが好ましい。
【００１０】
この出願発明のジュニアシートまたはジュニアシート用サポート背もたれは、どのような材料でできていてもよいが、クッション性のあるものが好ましく、たとえば、中空であって空気を注入するもの、発泡体、綿などが使用されるが、とくに、空気を注入する中空であることが好ましい。
材料は部分的に異なってもよいが、全体を同じ材料としてもよい。
また、表面をスエード調に加工したものでもよい。
【００１１】
シートまたはジュニアシート用サポート背もたれ全体が空気を注入する中空である場合には、空気を抜くことによりシートまたはジュニアシート用サポート背もたれを簡単に縮小できるので、持ち運びが簡単であり、また、空気を抜いた状態でそのまま椅子として使用することもできるので、とくに好ましい。
空気を入れる場合の材料は空気を保持できるものであればよく、とくに限定されないが、プラスチック、加工した不織布、織物などの布あるいはこれらの複合材料などが使用される。
【００１２】
また、空気を注入、排出するための空気孔は、１個所でもよいし複数個所でもよいが、それぞれの場所での空気量、硬さを調製でき、また、不必要な場合には空気の注入を中止することもできるので、複数個所が好ましい。
複数個所の場合には、背中の部分、左右の突出部の部分、座席の部分に設けることがとくに好ましい。
このようにすることにより、太っている子供、やせている子供などの体型に合わせて微調整をすることができる。
また、空気を抜くことにより、大人がそのまま座ることもできる。
ジュニアシート用サポート背もたれの場合でも、既に固定されているジュニアシートの座席の厚みが足らない場合には、座席の部分の空気の量により微調整ができる。
【００１３】
この出願発明のジュニアシートは、既製品のチャイルドシート、ジュニアシートのように製作することもできるし、例えば、さらに椅子に固定する器具を取り付けることができる。
【００１４】
また、ジュニアシートとしてそのまま使用するときは、肘掛けが設けられていることが好ましい。
【００１５】
この出願発明のジュニアシートまたはジュニアシート用サポート背もたれの下部に椅子に固定する手段としてはとくに限定されないが、接着テープが設けられていることが座席から簡単に着脱できるので好ましい。
【００１６】
座席の部分は、ジュニアシートとして使用する場合には、厚くすることが好ましく、５〜１５ｃｍが好ましい。
また、ジュニアシート用サポート背もたれとする場合には、ジュニアシートの上に置くので、薄いことが好ましく、５ｃｍ以下が好ましい。
【００１７】
以下、図によってこの出願発明を説明する。
図１はこの出願発明の中空のジュニアシート用サポート背もたれの平面図であり、図２はこの出願発明の中空のジュニアシート用サポート背もたれの側面図であり、図３はこの出願発明の中実のジュニアシート用サポート背もたれの平面図であり、図４はこの出願発明の中実のジュニアシート用サポート背もたれの側面図であり、１はジュニアシート用サポート背もたれ、２はベルト、３は座席用面ファスナー、４はシート、５は空気孔、６は突出部、７は孔をそれぞれ示す。
【実施例１】
【００１８】
表面がスェードの塩化ビニル製中空状の、背もたれの部分の縦が４０ｃｍ、横が３５ｃｍ、突出部が円弧状の縦３５ｃｍ最も突出している部分が１２ｃｍ、シートの部分の縦が２０ｃｍ、横が２３ｃｍ、厚みが５ｃｍの中空のジュニアシート用サポート背もたれを作成した。
空気孔は、背中の上部に１個所、左右の突出部にそれぞれ１個所の計２個所および座席の部分の合計４個所設けた。
また、背中の上部に幅３ｃｍ長さが２０ｃｍの２本の５ｃｍおきに直径２ｃｍの３個の孔のあいた面ファスナーのベルトをヘッドレストの鉄棒に通して座席の上部に取り付け、シートの下には車の座席に固定できるように幅が８ｃｍ、長さが２５ｃｍの面ファスナーを２本取り付けた。
この中空のジュニアシート用サポート背もたれに空気を注入しジュニアシートの上に置きシートに設けた面ファスナーでジュニアシートに固定し、ジュニアシート用サポート背もたれの上部に設けた面ファスナーにより車の背もたれの部分に固定し、空気を注入した。
このジュニアシート用サポート背もたれに空気を注入しジュニアシートに固着した。
【実施例２】
【００１９】
ウレタンフォーム製の、縦が４２ｃｍ、横が３５ｃｍ、厚みが５ｃｍ、突出部が円弧状の縦３８ｃｍ最も突出している部分が１３ｃｍ、シートの部分の縦が２０ｃｍ、横が２３ｃｍ、厚みが５ｃｍのポリウレタンフォームのジュニアシート用サポート背もたれを作成した。
また、背中の上部に幅３ｃｍ長さが２０ｃｍの２本の５ｃｍおきに直径２ｃｍの３個の孔のあいた面ファスナーのベルトをヘッドレストの鉄棒に通して座席の上部に取り付け、厚みが５ｃｍのシートの下には車の座席に固定できるように幅が８ｃｍ、長さが２０ｃｍの面ファスナーを２本取り付けた。
このウレタンフォーム製のジュニアシート用サポート背もたれをジュニアシートの上に置きシートに設けた面ファスナーでジュニアシートに固定した。
【実施例３】
【００２０】
表面がスェードの塩化ビニル製中空状の、縦が４５ｃｍ、横が４０ｃｍ、厚みが５ｃｍ、突出部が円弧状の縦４０ｃｍ最も突出している部分が１３ｃｍ、シートの部分の縦が２０ｃｍ、横が２３ｃｍ、厚みが１０ｃｍの中空のジュニアシートを作成した。
空気孔は、背中の上部に１個所、左右の突出部にそれぞれ１個所の計２個所および座席の部分の合計４個所設けた。
また、背中の上部に幅３ｃｍ長さが４０ｃｍの２本の５ｃｍおきに直径２ｃｍの３個の孔のあいた面ファスナーのベルトをヘッドレストの鉄棒に通して座席の上部に取り付け、厚みが１０ｃｍのシートの下には車の座席に固定できるように幅が８ｃｍ、長さが３０ｃｍの面ファスナーを２本取り付けた。
このジュニアシートに空気を注入し車の座席に固着した。
【実施例４】
【００２１】
発泡ウレタンフォーム製の、縦が５０ｃｍ、横が４０ｃｍ、厚みが５ｃｍ突出部が円弧状の縦４０ｃｍ最も突出している部分が１５ｃｍ、シートの部分の縦が２０ｃｍ、横が２３ｃｍ、厚みが１０ｃｍの発泡ウレタンフォーム製ジュニアシートを作成した。
また、背中の上部に幅３ｃｍ長さが４０ｃｍの２本の５ｃｍおきに直径２ｃｍの３個の孔のあいた面ファスナーのベルトをヘッドレストの鉄棒に通して座席の上部に取り付け、厚みが１０ｃｍのシートの下には車の座席に固定できるように幅が８ｃｍ、長さが３０ｃｍの面ファスナーを２本取り付けた。
このジュニアシートを車の座席に固着した。
【産業上の利用可能性】
【００２２】
この出願発明のジュニアシートを利用することにより、突出部により子供の身体を大人と同じ大きさにすることができるので、子供が左右に倒れないように補助することができ、また、ジュニアシート用サポート背もたれとして使用するときにも、子供が左右に倒れないように補助することができ、子供の安定性を確保することができるジュニアシート、ジュニアシート用サポート背もたれとして利用することができる。
【図面の簡単な説明】
【００２３】
【図１】この出願発明の中空のジュニアシート用サポート背もたれの平面図。
【図２】この出願発明の中空のジュニアシート用サポート背もたれの側面図。
【図３】この出願発明の中実のジュニアシート用サポート背もたれの平面図。
【図４】この出願発明の中実のジュニアシート用サポート背もたれの側面図。
【符号の説明】
【００２４】
１  ジュニアシート用サポート背もたれ
２  ベルト
３  座席用面ファスナー
４  シート
５  空気孔
６  突出部
７  孔
【図１】
2005145088.tif 000003
【図２】
2005145088.tif 000004
【図３】
2005145088.tif 000005
【図４】
2005145088.tif 000006